(57)【要約】  大型化することなく通過周波数帯域の狭帯域化を図ることができるフィルタを提供することである。  積層体（１２）は、複数の絶縁体層（１６）が積層されてなる。外部電極（１４ａ，１４ｂ）は、積層体（１２）の表面に設けられている。共振器（ＬＣ１）は、外部電極（１４ａ）に接続され、かつ、コイル（Ｌ１）を含む。共振器（ＬＣ２）は、外部電極（１４ｂ）に接続され、かつ、コイル（Ｌ２）を含む。共振器（ＬＣ３）は、コイル（Ｌ１，Ｌ２）と磁気結合するコイル（Ｌ３）を含む。コイル（Ｌ１，Ｌ２）はそれぞれ、絶縁体層（１６）上に設けられているコイル導体層（１８，２０）により構成されている。コイル（Ｌ３）は、絶縁体層（１６）をｚ軸方向に貫通しているビアホール導体（Ｂ１，Ｂ２）により構成されている。
2011033878.tif 000002
【特許請求の範囲】
【請求項１】
複数の絶縁体層が積層されてなる積層体と、
前記積層体の表面に設けられている入力電極及び出力電極と、
前記入力電極に接続され、かつ、第１のコイルを含む第１の共振器と、
前記出力電極に接続され、かつ、第２のコイルを含む第２の共振器と、
前記第１のコイル及び／又は前記第２のコイルと磁気結合する第３のコイルを含む第３の共振器と、
を備え、
前記第１のコイル及び前記第２のコイルはそれぞれ、前記絶縁体層上に設けられている第１のコイル導体層及び第２のコイル導体層を含んでおり、
前記第３のコイルは、前記絶縁体層を積層方向に貫通しているビアホール導体を含んでいること、
を特徴とするフィルタ。
【請求項２】
前記第３のコイルは、前記絶縁体層を積層方向に貫通する２本の前記ビアホール導体、及び、前記絶縁体層上に設けられ、かつ、該２本のビアホール導体の積層方向における上端同士又は下端同士を接続する接続導体層を含んでいること、
を特徴とする請求項１に記載のフィルタ。
【請求項３】
前記第１のコイル導体層及び前記第２のコイル導体層は、積層方向から平面視したときに、前記接続導体層と平行に延在している部分を有していること、
を特徴とする請求項２に記載のフィルタ。
【請求項４】
前記接続導体層は、前記第１のコイル導体層及び前記第２のコイル導体層が設けられている前記絶縁体層とは異なる前記絶縁体層上に設けられていること、
を特徴とする請求項２又は請求項３のいずれかに記載のフィルタ。
【請求項５】
前記第１の共振器及び前記第２の共振器と容量結合している第１の結合導体層を、
更に備えていること、
を特徴とする請求項１ないし請求項４のいずれかに記載のフィルタ。
【請求項６】
前記フィルタは、
前記積層体の表面に設けられている接地電極を、
更に備え、
前記第１の共振器は、第１のコンデンサ導体層及び第１の接地導体層からなる第１のコンデンサを、更に含み、
前記第２の共振器は、第２のコンデンサ導体層及び第２の接地導体層からなる第２のコンデンサを、更に含み、
前記第３の共振器は、第３のコンデンサ導体層及び第３の接地導体層からなる第３のコンデンサを、更に含み、
前記第１のコイル及び前記第１のコンデンサは、前記入力電極と前記接地電極との間において並列に接続され、
前記第２のコイル及び前記第２のコンデンサは、前記出力電極と前記接地電極との間において並列に接続され、
前記第３のコイルの一端と前記第３のコンデンサ導体層とは接続されており、かつ、該第３のコイルの他端及び前記第３の接地導体層は前記接地電極に接続されていること、
を特徴とする請求項１ないし請求項５のいずれかに記載のフィルタ。
【請求項７】
前記ビアホール導体に接続され、かつ、前記第１のコンデンサ導体層と容量結合していると共に、前記第２のコンデンサ導体層と容量結合している第２の結合導体層を、
更に備えていること、
を特徴とする請求項６に記載のフィルタ。
【請求項８】
前記第３のコンデンサ導体層は、前記第１のコンデンサ導体層及び前記第２のコンデンサ導体層が設けられている前記絶縁体層とは異なる前記絶縁体層上に設けられていること、
を特徴とする請求項６又は請求項７のいずれかに記載のフィルタ。
【請求項９】
前記第１の接地導体層と前記第２の接地導体層とは、一つの接地導体層により構成されており、
前記接地導体層の面積は、前記第１のコンデンサ導体層の面積と前記第２のコンデンサ導体層の面積との合計よりも大きく、
前記第１のコンデンサ導体層及び前記第２のコンデンサ導体層は、積層方向において、前記接地導体層と前記第１のコイル導体層及び第２のコイル導体層との間に設けられていること、
を特徴とする請求項６ないし請求項８のいずれかに記載のフィルタ。
【請求項１０】
複数の絶縁体層が積層されてなる積層体と、
前記積層体の表面に設けられている入力電極及び出力電極と、
前記入力電極に接続され、かつ、第１のコイルを含む第１の共振器と、
前記出力電極に接続され、かつ、第２のコイルを含む第２の共振器と、
前記第１のコイル及び／又は前記第２のコイルと磁気結合する第３のコイルを含む第３の共振器と、
を備え、
前記第１のコイル及び前記第２のコイルはそれぞれ、前記絶縁体層を積層方向に貫通している第１のビアホール導体及び第２のビアホール導体により構成されており、
前記第３のコイルは、前記絶縁体層上に設けられている第３のコイル導体層を含んでいること、
を特徴とするフィルタ。
【発明の詳細な説明】
【技術分野】
【０００１】
本発明は、フィルタに関し、より特定的には、積層型のＬＣフィルタに関する。
【背景技術】
【０００２】
従来のフィルタとしては、例えば、特許文献１に記載の積層型誘電体フィルタが知られている。以下に、図面を参照しながら特許文献１に記載の積層型誘電体フィルタについて説明する。図６は、積層型誘電体フィルタ５００の分解斜視図である。【０００３】
積層型誘電体フィルタ５００は、積層体５０２及び外部電極５０３（５０３ａ〜５０３ｄ）を備えている。積層体５０２は、直方体状をなしており、長方形状の絶縁体層５０４（５０４ａ〜５０４ｊ）が積層されてなる。外部電極５０３はそれぞれ、積層体５０２の４つの側面に設けられている。外部電極５０３ａは、高周波信号の入力端子である。外部電極５０３ｂは、高周波信号の出力端子である。外部電極５０３ｃ，５０３ｄは、接地端子である。【０００４】
また、積層型誘電体フィルタ５００は、共振器５０５（５０５ａ〜５０５ｃ）を内蔵している。共振器５０５ａ〜５０５ｃはそれぞれ、共振電極５０６ａ〜５０６ｃを有している。共振電極５０６ａ〜５０６ｃは、絶縁体層５０４ｆに設けられており、コイルとして機能している。共振電極５０６ａは、外部電極５０３ａ，５０３ｃに接続されている。共振電極５０６ｂは、外部電極５０３ｃに接続されている。共振電極５０６ｃは、外部電極５０３ｂ，５０３ｃに接続されている。共振電極５０６ｂは、共振電極５０６ａ，５０６ｃに対して磁気的に結合している。なお、共振器５０５ａ〜５０５ｃは、共振電極５０６以外にもコンデンサを有しているが、ここでは説明を省略する。【０００５】
更に、積層型誘電体フィルタ５００は、調整電極５０８を有している。調整電極５０８は、積層方向から平面視したときに、共振電極５０６ａ，５０６ｃの一部に重なり、かつ、共振電極５０６ｂに重なっていない。【０００６】
以上のように構成された積層型誘電体フィルタ５００では、高周波信号は、外部電極５０３ａより入力し、外部電極５０３ｂより出力する。共振電極５０６ａと共振電極５０６ｂとは磁気結合しているので、共振電極５０６ｂには、外部電極５０３ａから入力した高周波信号が電磁誘導により伝送される。更に、共振電極５０６ｂと共振電極５０６ｃとは磁気結合しているので、共振電極５０６ｃには、電磁誘導により高周波信号が伝送される。そして、共振電極５０６ｃを伝送される高周波信号は、外部電極５０３ｂから出力する。ここで、共振電極５０６ａ〜５０６ｃは、共振器５０５ａ〜５０５ｃを構成している。そのため、該共振電極５０６ａ〜５０６ｃの伝送中に、通過周波数帯域以外の高周波信号は除去される。よって、外部電極５０３ｂからは、通過周波数帯域の高周波信号が出力する。【０００７】
更に、積層型誘電体フィルタ５００では、図６に示すように、調整電極５０８が設けられている。これにより、積層型誘電体フィルタ５００の通過周波数帯域の低周波側を急峻に減衰させることができる。【０００８】
ところで、積層型誘電体フィルタ５００は、通過周波数帯域を狭帯域化しようとすると、大型化してしまうという問題を有している。より詳細には、積層型誘電体フィルタ５００において狭帯域化を図る場合には、共振電極５０６ａ〜５０６ｃ間の磁気結合を弱くすればよい。しかしながら、共振電極５０６ａ〜５０６ｃ間の磁気結合を弱くするためには、共振電極５０６ａ〜５０６ｃ間の距離を大きくする必要がある。その結果、積層型誘電体フィルタ５００が大型化してしまう。
【先行技術文献】
【特許文献】
【０００９】
【特許文献１】特開２００６−３３６１４号公報
【発明の概要】
【発明が解決しようとする課題】
【００１０】
そこで、本発明の目的は、大型化することなく通過周波数帯域の狭帯域化を図ることができるフィルタを提供することである。
【課題を解決するための手段】
【００１１】
本発明の第１の形態に係るフィルタは、複数の絶縁体層が積層されてなる積層体と、前記積層体の表面に設けられている入力電極及び出力電極と、前記入力電極に接続され、かつ、第１のコイルを含む第１の共振器と、前記出力電極に接続され、かつ、第２のコイルを含む第２の共振器と、前記第１のコイル及び／又は前記第２のコイルと磁気結合する第３のコイルを含む第３の共振器と、を備え、前記第１のコイル及び前記第２のコイルはそれぞれ、前記絶縁体層上に設けられている第１のコイル導体層及び第２のコイル導体層を含んでおり、前記第３のコイルは、前記絶縁体層を積層方向に貫通しているビアホール導体を含んでいること、を特徴とする。【００１２】
本発明の第２の形態に係るフィルタは、複数の絶縁体層が積層されてなる積層体と、前記積層体の表面に設けられている入力電極及び出力電極と、前記入力電極に接続され、かつ、第１のコイルを含む第１の共振器と、前記出力電極に接続され、かつ、第２のコイルを含む第２の共振器と、前記第１のコイル及び／又は前記第２のコイルと磁気結合する第３のコイルを含む第３の共振器と、を備え、前記第１のコイル及び前記第２のコイルはそれぞれ、前記絶縁体層を積層方向に貫通している第１のビアホール導体及び第２のビアホール導体により構成されており、前記第３のコイルは、前記絶縁体層上に設けられている第３のコイル導体層を含んでいること、を特徴とする。
【発明の効果】
【００１３】
本発明によれば、大型化することなく通過周波数帯域の狭帯域化を図ることができる。
【図面の簡単な説明】
【００１４】
【図１】本発明の実施形態に係るフィルタの外観斜視図である。
【図２】図１のフィルタの分解斜視図である。
【図３】図１のフィルタの等価回路図である。
【図４】変形例に係るフィルタの分解斜視図である。
【図５】変形例に係るフィルタの等価回路図である。
【図６】特許文献１に記載の積層型誘電体フィルタの分解斜視図である。
【発明を実施するための形態】
【００１５】
以下に本発明の実施形態に係るフィルタについて説明する。
【００１６】
（電子部品の構成）
以下に、本発明の一実施形態に係るフィルタの構成について図面を参照しながら説明する。図１は、本発明の実施形態に係るフィルタ１０の外観斜視図である。図２は、フィルタ１０の分解斜視図である。図３は、フィルタ１０の等価回路図である。図１及び図２において、ｚ軸方向は、積層方向を示す。また、ｘ軸方向は、ｚ軸方向から平面視したときにおけるフィルタ１０の長辺に沿った方向を示す。ｙ軸方向は、ｚ軸方向から平面視したときにおけるフィルタ１０の短辺に沿った方向を示す。なお、ｘ軸、ｙ軸、ｚ軸の原点は、フィルタ１０の中心である。
【００１７】
フィルタ１０は、図１及び図２に示すように、積層体１２、外部電極１４（１４ａ〜１４ｄ）、方向認識マーク１５、共振器ＬＣ１〜ＬＣ３及びコンデンサＣ４〜Ｃ７を備えている。積層体１２は、図２に示すように、絶縁体層１６（１６ａ〜１６ｈ）が積層されることにより構成され、直方体状をなしている。また、積層体１２は、共振器ＬＣ１〜ＬＣ３を内蔵している。
【００１８】
外部電極１４ａは、図１に示すように、積層体１２のｘ軸方向の負方向側の側面（表面）に設けられており、高周波信号の入力電極として用いられる。外部電極１４ｂは、積層体１２のｘ軸方向の正方向側の側面（表面）に設けられ、高周波信号の出力電極として用いられる。外部電極１４ｃは、積層体１２のｙ軸方向の負方向側の側面（表面）に設けられ、接地電極として用いられる。外部電極１４ｄは、積層体１２のｙ軸方向の正方向側の側面（表面）に設けられ、接地電極として用いられる。
【００１９】
方向認識マーク１５は、積層体１２のｚ軸方向の正方向側の上面に設けられ、実装時に、フィルタ１０の入力電極と出力電極との方向を識別するために用いられる。
【００２０】
絶縁体層１６は、図２に示すように、長方形状をなしており、例えば、セラミック誘電体により構成されている。絶縁体層１６ａ〜１６ｈは、ｚ軸方向において正方向側から負方向側へとこの順に並ぶように積層されている。
【００２１】
共振器ＬＣ１は、図２及び図３に示すように、コイルＬ１及びコンデンサＣ１を含み、外部電極１４ａと外部電極１４ｃ，１４ｄとの間に接続されている。具体的には、コイルＬ１及びコンデンサＣ１は、外部電極１４ａと外部電極１４ｃ，１４ｄとの間に並列に接続されている。
【００２２】
コイルＬ１は、図２に示すように、コイル導体層１８により構成されている。コイル導体層１８は、コイル部１８ａ及び引き出し部１８ｂ，１８ｃを含んでおり、絶縁体層１６ｃ上に設けられている。コイル部１８ａは、ｚ軸方向から平面視したときに、絶縁体層１６ｃ（ｘｙ平面）上において、時計回りに旋廻しながら外部電極１４ａから外部電極１４ｃへと向かう線状導体である。更に、コイル部１８ａは、ｙ軸方向に延在する部分を有している。また、引き出し部１８ｂは、コイル部１８ａの一端に接続され、絶縁体層１６ｃのｘ軸方向の負方向側の短辺に接している。これにより、コイル導体層１８は、外部電極１４ａに接続されている。同様に、引き出し部１８ｃは、コイル部１８ａの他端に接続され、絶縁体層１６ｃのｙ軸方向の負方向側の長辺に接している。これにより、コイル導体層１８は、外部電極１４ｃに接続されている。
【００２３】
コンデンサＣ１は、コンデンサ導体層２６及び接地導体層３２により構成されている。コンデンサ導体層２６は、コンデンサ部２６ａ及び引き出し部２６ｂにより構成され、絶縁体層１６ｆ上に設けられている。コンデンサ部２６ａは、絶縁体層１６ｆ上に設けられている矩形状の導体である。引き出し部２６ｂは、コンデンサ部２６ａに接続され、絶縁体層１６ｆのｘ軸方向の負方向側の短辺に接している。これにより、コンデンサ導体層２６は、外部電極１４ａに接続されている。また、接地導体層３２は、接地部３２ａ及び引き出し部３２ｂ〜３２ｇにより構成され、絶縁体層１６ｈ上に設けられている。接地部３２ａは、絶縁体層１６ｈの略全面を覆うように設けられている矩形状の導体である。これにより、コンデンサ導体層２６と接地導体層３２とは、絶縁体層１６ｆ，１６ｇを挟んで対向し、コンデンサＣ１を構成している。引き出し部３２ｂ〜３２ｄは、接地部３２ａに接続され、絶縁体層１６ｈのｙ軸方向の負方向側の長辺に接している。引き出し部３２ｅ〜３２ｇは、接地部３２ａに接続され、絶縁体層１６ｈのｙ軸方向の正方向側の長辺に接している。これにより、接地導体層３２は、外部電極１４ｃ，１４ｄに接続されている。以上より、コンデンサＣ１は、外部電極１４ａと外部電極１４ｃ，１４ｄとに接続されている。
【００２４】
共振器ＬＣ２は、図２及び図３に示すように、コイルＬ２及びコンデンサＣ２を含み、外部電極１４ｂと外部電極１４ｃ，１４ｄとに接続されている。具体的には、コイルＬ２及びコンデンサＣ２は、外部電極１４ｂと外部電極１４ｃ，１４ｄとの間に並列に接続されている。
【００２５】
コイルＬ２は、図２に示すように、コイル導体層２０により構成されている。コイル導体層２０は、コイル部２０ａ及び引き出し部２０ｂ，２０ｃを含んでおり、絶縁体層１６ｃ上に設けられている。コイル部２０ａは、ｚ軸方向から平面視したときに、絶縁体層１６ｃ（ｘｙ平面）上において、反時計回りに旋廻しながら外部電極１４ｂから外部電極１４ｃへと向かう線状導体である。更に、コイル部２０ａは、ｙ軸方向に延在する部分を有している。また、引き出し部２０ｂは、コイル部２０ａの一端に接続され、絶縁体層１６ｃのｘ軸方向の正方向側の短辺に接している。これにより、コイル導体層２０は、外部電極１４ｂに接続されている。同様に、引き出し部２０ｃは、コイル部２０ａの他端に接続され、絶縁体層１６ｃのｙ軸方向の負方向側の長辺に接している。これにより、コイル導体層２０は、外部電極１４ｃに接続されている。
【００２６】
コンデンサＣ２は、コンデンサ導体層２８及び接地導体層３２により構成されている。コンデンサ導体層２８は、コンデンサ部２８ａ及び引き出し部２８ｂにより構成され、絶縁体層１６ｆ上に設けられている。コンデンサ部２８ａは、絶縁体層１６ｆ上においてコンデンサ部２６ａよりもｘ軸方向の正方向側に設けられている矩形状の導体である。引き出し部２８ｂは、コンデンサ部２８ａに接続され、絶縁体層１６ｆのｘ軸方向の正方向側の短辺に接している。これにより、コンデンサ導体層２８は、外部電極１４ｂに接続されている。接地導体層３２の詳細については、既に説明を行ったので説明を省略する。これにより、コンデンサ導体層２８と接地導体層３２とは、絶縁体層１６ｆ，１６ｇを挟んで対向し、コンデンサＣ２を構成している。そして、コンデンサＣ２は、外部電極１４ｂと外部電極１４ｃ，１４ｄとに接続されている。
【００２７】
ここで、接地導体層３２の面積は、図２に示すように、コンデンサ導体層２６の面積とコンデンサ導体層２８の面積との合計よりも大きい。更に、コンデンサ導体層２６，２８は、ｚ軸方向において、接地導体層３２とコイル導体層１８，２０との間に設けられている。
【００２８】
共振器ＬＣ３は、図２及び図３に示すように、コイルＬ３及びコンデンサＣ３を含み、外部電極１４ｃ，１４ｄに接続されている。また、共振器ＬＣ３は、図２に示すように、ｚ軸方向から平面視したときに、ｘ軸方向において共振器ＬＣ１と共振器ＬＣ２とに挟まれている。
【００２９】
コイルＬ３は、図２に示すように、ビアホール導体Ｂ１，Ｂ２及び接続導体層３４により構成され、コイルＬ１，Ｌ２と磁気結合する。ビアホール導体Ｂ１は、ｚ軸方向から平面視したときに、ｘ軸方向においてコイル導体層１８，２０の間において、ｚ軸方向に直線的に延在している。そして、ビアホール導体Ｂ１は、ビアホール導体ｂ１〜ｂ６により構成され、絶縁体層１６ｂ〜１６ｇをｚ軸方向に貫通している。ビアホール導体Ｂ２は、ｚ軸方向から平面視したときに、ビアホール導体Ｂ１よりもｙ軸方向の正方向側であって、かつ、ｘ軸方向においてコイル導体層１８，２０の間において、ｚ軸方向に直線的に延在している。そして、ビアホール導体Ｂ２は、ビアホール導体ｂ１１〜ｂ１５により構成され、絶縁体層１６ｂ〜１６ｆをｚ軸方向に貫通している。接続導体層３４は、コイル導体層１８，２０が設けられている絶縁体層１６ｃとは異なる絶縁体層１６ｂ上において、ｘ軸方向におけるコイル導体層１８，２０間に設けられ、ビアホール導体Ｂ１，Ｂ２のｚ軸方向の正方向側の端部同士を接続している。接続導体層３４は、ｙ軸方向に延在している線状導体であり、ｚ軸方向から平面視したときに、コイル部１８ａのｙ軸方向に延在している部分及びコイル部２０ａのｙ軸方向に延在している部分と平行に延在している。
【００３０】
コンデンサＣ３は、コンデンサ導体層３０及び接地導体層３２により構成されている。コンデンサ導体層３０は、コンデンサ導体層２６，２８が設けられている絶縁体層１６ｆとは異なる絶縁体層１６ｇ上に設けられている矩形状の導体であり、ｚ軸方向から平面視したときに、ビアホール導体Ｂ２と重なっている。よって、コンデンサ導体層３０は、ビアホール導体Ｂ２のビアホール導体ｂ１５のｚ軸方向の負方向側の端部と接続されている。接地導体層３２は、ｚ軸方向から平面視したときに、ビアホール導体Ｂ１と重なっている。よって、接地導体層３２は、ビアホール導体Ｂ１のビアホール導体ｂ６のｚ軸方向の負方向側の端部と接続されている。これにより、コンデンサ導体層３０と接地導体層３２とは、絶縁体層１６ｇを挟んで対向し、コンデンサＣ３を構成している。そして、以上の構成により、コイルＬ３の一端とコンデンサ導体層３０とは接続されており、コイルＬ３の他端及び接地導体層３２は、外部電極１４ｃ，１４ｄに接続されている。
【００３１】
コンデンサＣ４，Ｃ５は、結合導体層２４及びコンデンサ導体層２６，２８により構成され、外部電極１４ａ，１４ｂ間において直列に接続されている。結合導体層２４は、コンデンサ部２４ａ，２４ｂ及び接続部２４ｃにより構成され、絶縁体層１６ｅ上に設けられている。コンデンサ部２４ａは、矩形状の導体である。コンデンサ部２４ａは、コンデンサ導体層２６のコンデンサ部２６ａと対向することにより該コンデンサ部２６ａと容量結合しており、コンデンサＣ４を構成している。コンデンサ部２４ｂは、絶縁体層１６ｅ上において、コンデンサ部２４ａよりもｘ軸方向の正方向側に設けられている矩形状の導体である。コンデンサ部２４ｂは、コンデンサ導体層２８のコンデンサ部２８ａと対向することにより該コンデンサ部２８ａと容量結合しており、コンデンサＣ５を構成している。コンデンサ導体層２６，２８については既に説明を行ったので、説明を省略する。接続部２４ｃは、絶縁体層１６ｅ上において、ｘ軸方向に延在し、コンデンサ部２４ａ，２４ｂを接続している。更に、接続部２４ｃは、ビアホール導体Ｂ２と接続されている。以上のような構成を有することにより、コンデンサＣ４，Ｃ５は、外部電極１４ａ，１４ｂ間において直列に接続されている。更に、コンデンサＣ４，Ｃ５は、コイルＬ３とコンデンサＣ３との間に接続されている。
【００３２】
また、コンデンサ導体層２６は、コンデンサＣ１を構成していると共に、コンデンサＣ４も構成している。よって、コンデンサＣ４は、図３に示すように、コイルＬ１とコンデンサＣ１との間に接続されている。同様に、コンデンサ導体層２８は、コンデンサＣ２を構成していると共に、コンデンサＣ５も構成している。よって、コンデンサＣ５は、図３に示すように、コイルＬ２とコンデンサＣ２との間に接続されている。
【００３３】
コンデンサＣ６，Ｃ７は、結合導体層２２及びコンデンサ導体層２６，２８により構成され、外部電極１４ａ，１４ｂ間において直列に接続されている。結合導体層２２は、コンデンサ部２２ａ，２２ｂ及び接続部２２ｃにより構成され、絶縁体層１６ｄ上に設けられている。結合導体層２２は、共振器ＬＣ１及び共振器ＬＣ２と容量結合し、共振器ＬＣ３とは殆ど容量結合していない。具体的には、コンデンサ部２２ａは、絶縁体層１６ｄ上に設けられている矩形状の導体である。コンデンサ部２２ａは、コンデンサ電極２６ａと対向することにより該コンデンサ電極２６ａと容量結合しており、コンデンサＣ６を構成している。コンデンサ部２２ｂは、絶縁体層１６ｄ上において、コンデンサ部２２ａよりもｘ軸方向の正方向側に設けられている矩形状の導体である。コンデンサ部２２ｂは、コンデンサ電極２８ａと対向することにより該コンデンサ電極２８ａと容量結合しており、コンデンサＣ７を構成している。接続部２２ｃは、絶縁体層１６ｄ上においてｘ軸方向に延在し、コンデンサ部２２ａ，２２ｂを接続している。ここで、コンデンサ導体層２６，２８はそれぞれ、外部電極１４ａ，１４ｂに接続されている。よって、コンデンサＣ６，Ｃ７は、外部電極１４ａ，１４ｂ間において直列に接続されている。
【００３４】
以上のように構成されたフィルタ１０では、コイルＬ１とコイルＬ２とが磁気結合し、コイルＬ２とコイルＬ３とが磁気結合している。これにより、フィルタ１０は、所定の周波数帯域の信号のみを通過するバンドパスフィルタを構成している。
【００３５】
以下に、フィルタ１０の動作の一例について、図１ないし図３を参照しながら説明する。フィルタ１０では、図２及び図３に示すように、コイルＬ１の一端は、入力電極としての外部電極１４ａに接続され、コイルＬ１の他端は、接地電極としての外部電極１４ｃに接続されている。よって、コイルＬ１には、外部電極１４ａから外部電極１４ｃへと高周波信号が伝送される。高周波信号は、図２において、ｚ軸方向から平面視したときに、コイル導体層１８を時計回りに伝送される。
【００３６】
コイルＬ１とコイルＬ３とは、磁気結合している。具体的には、コイル部１８ａのｙ軸方向に延在している部分と接続導体層３４とが磁気結合している。これにより、高周波信号は、コイルＬ１からコイルＬ３に向かって伝送される。
【００３７】
また、コイルＬ３とコイルＬ２とは、磁気結合している。具体的には、コイル部２０ａのｙ軸方向に延在している部分と接続導体層３４とが磁気結合している。よって、高周波信号は、コイルＬ３からコイルＬ２に向かって伝送される。そして、高周波信号が共振器ＬＣ１〜ＬＣ３を通過している間に、所定の通過周波数帯域以外の信号が該高周波信号から除去される。その結果、所定の通過周波数帯域以外の信号が除去された出力信号が、外部電極１４ｂから出力される。
【００３８】
（効果）
以上のように構成されたフィルタ１０では、大型化することなく通過周波数帯域の狭帯域化を図ることができる。より詳細には、図６に示す積層型誘電体フィルタ５００において狭帯域化を図る場合には、共振電極５０６ａ〜５０６ｃ間の磁気結合を弱くすればよい。しかしながら、共振電極５０６ａ〜５０６ｃ間の磁気結合を弱くするためには、共振電極５０６ａ〜５０６ｃ間の距離を大きくする必要がある。その結果、積層型誘電体フィルタ５００が大型化してしまう。
【００３９】
そこで、フィルタ１０では、コイルＬ３は、ビアホール導体Ｂ１，Ｂ２を含んでいる。ビアホール導体Ｂ１，Ｂ２がｚ軸方向に延在しているので、高周波信号がビアホール導体Ｂ１，Ｂ２を伝送された場合には、ビアホール導体Ｂ１，Ｂ２の周囲においてｘｙ平面内を周回する磁束が発生する。一方、コイルＬ１，Ｌ２はそれぞれ、ｘｙ平面内を周回するコイル導体層１８，２０により構成されている。このようなコイル導体層１８，２０に高周波信号が伝送された場合には、ｘｙ平面に直交する面内を周回する磁束が発生する。よって、ビアホール導体Ｂ１，Ｂ２で発生する磁束とコイル導体層１８，２０で発生する磁束とが互いに直交する面内において周回する。そのため、ビアホール導体Ｂ１，Ｂ２とコイル導体層１８，２０とは、強く磁気結合しにくい。以上より、共振器ＬＣ１〜ＬＣ３が近づけられたとしても、コイルＬ１〜Ｌ３が強く磁気結合しないので、フィルタ１０を大型化させることなく狭帯域化を図ることができる。
【００４０】
また、以下の理由によっても、フィルタ１０では、大型化することなく通過周波数帯域の狭帯域化を図ることができる。より詳細には、コイルＬ１とコイルＬ３とは、主に、コイル部１８ａのｙ軸方向に延在している部分と接続導体層３４との間で磁気結合している。同様に、コイルＬ２とコイルＬ３とは、主に、コイル部２０ａのｙ軸方向に延在している部分と接続導体層３４との間で磁気結合している。そして、コイル導体層１８，２０と接続導体層３４とは、異なる絶縁体層１６上に設けられている。よって、コイル導体層１８，２０と接続導体層３４とは、これらが同じ絶縁体層１６上に設けられた場合に比べて、弱く磁気結合する。その結果、共振器ＬＣ１〜ＬＣ３が近づけられたとしても、コイルＬ１〜Ｌ３が強く磁気結合しないので、フィルタ１０を大型化させることなく狭帯域化を図ることができる。
【００４１】
また、フィルタ１０では、以下に説明するように、コイルＬ１，Ｌ２とコイルＬ３との磁気結合の強さを調整することが容易である。コイル導体層１８，２０と接続導体層３４とは、異なる絶縁体層１６上に設けられている。よって、コイル導体層１８，２０又は接続導体層３４が設けられる絶縁体層１６の厚みや絶縁体層１６の積層数等を変更することにより、コイル導体層１８，２０と接続導体層３４との距離を調整して、これらの磁気結合の強さを調整することが可能である。
【００４２】
また、フィルタ１０では、以下に説明するように、大型化させることなく、挿入損失を小さくすることができる。より詳細には、複数の共振器を備えたいわゆる多段フィルタでは、中央段の共振器ほど電力が集中するため、中央段の共振器の無負荷Ｑを大きくすることでフィルタの挿入損失を小さくすることができる。フィルタ１０において、中央段の共振器ＬＣ３の無負荷Ｑを大きくするためには、コイルＬ３の直流抵抗値を小さくすることが挙げられる。そこで、フィルタ１０では、コイルＬ３は、ビアホール導体Ｂ１，Ｂ２により構成されている。ビアホール導体Ｂ１，Ｂ２は、導体層に比べて、直流抵抗値を容易に低くすることができる。より詳細には、導体層では、ｚ軸方向の厚みが非常に小さいため、十分な断面積を確保しようとした場合には、大きな線幅が必要となる。一方、ビアホール導体Ｂ１，Ｂ２では、円形の断面を有しているので、導体層に比べて大きな断面積を確保し易い。よって、ビアホール導体Ｂ１，Ｂ２の方が、導体層よりも、容易に抵抗値を低くすることができる。以上より、フィルタ１０では、大型化させることなく、挿入損失を小さくすることができる。
【００４３】
また、フィルタ１０では、結合導体層２４は、共振器ＬＣ１と共振器ＬＣ３とを容量結合させていると共に、共振器ＬＣ２と共振器ＬＣ３とを容量結合させている。これにより、共振器ＬＣ１におけるコイル部１８ａと共振器ＬＣ３における接続導体層３４との磁気結合と容量結合とのバランスをとることができると共に、共振器ＬＣ２におけるコイル部２０ａと共振器ＬＣ３における接続導体層３４との磁気結合と容量結合とのバランスをとることができる。その結果、各共振器ＬＣ１〜ＬＣ３間の結合を調整することができ、フィルタ１０の設計自由度を向上させることができる。
【００４４】
また、フィルタ１０では、共振器ＬＣ１と共振器ＬＣ２とが結合導体層２２により容量結合している。共振器を複数備えた多段フィルタでは、入力段の共振器と出力段の共振器とを結合させると、フィルタの通過帯域の両側もしくは片側に減衰極を形成できることが知られている。本実施形態のような構成にすることにより、フィルタ１０の減衰特性を向上させることができる。また、絶縁体層１６ｄの厚みを変えることにより、容量による結合量を変化させることができ、所望の減衰特性を容易に得ることができる。
【００４５】
また、フィルタ１０では、コンデンサ導体層２６，２８とコンデンサ導体層３０とは異なる絶縁体層１６上に設けられている。これにより、コンデンサ導体層２６，２８，３０が近接しにくくなる。その結果、フィルタ１０では、コンデンサ導体層２６，２８，３０が同じ絶縁体層１６に設けられた場合に比べて、コンデンサ導体層２６，２８，３０の大きさ、形状、位置等の設計自由度が高くなる。
【００４６】
また、フィルタ１０では、以下に説明するように、挿入損失を低減できる。より詳細には、コイル導体層１８，２０に高周波信号が伝送されると、コイル導体層１８，２０の周囲には磁束が発生する。この磁束がコンデンサ導体層２６，２８及び接地導体層３２を通過すると、コンデンサ導体層２６，２８及び接地導体層３２にて渦電流が発生する。渦電流の発生は、フィルタ１０の挿入損失を増加させる。よって、渦電流の発生を抑制することが望ましい。ここで、接地導体層３２の面積は、コンデンサ導体層２６，２８の面積の合計よりも大きい。よって、接地導体層３２及びコンデンサ導体層２６，２８が、コイル導体層１８，２０から同じ距離に位置している場合には、接地導体層３２に発生する渦電流の方がコンデンサ導体層２６，２８に発生する渦電流よりも大きくなる。そこで、フィルタ１０では、接地導体層３２をコンデンサ導体層２６，２８よりもコイル導体層１８，２０から引き離すことにより、渦電流の発生を抑制している。その結果、フィルタ１０では、挿入損失を低減できる。
【００４７】
また、コイルＬ３は、ビアホール導体Ｂ１，Ｂ２及び接続導体層３４により構成されている。ここで、ビアホール導体Ｂ１，Ｂ２にはｚ軸方向に電流が流れるため、ビアホール導体Ｂ１，Ｂ２の周囲にはｚ軸方向に垂直なｘｙ平面内に磁界が発生する。そのため、ビアホール導体Ｂ１，Ｂ２の周囲に発生した磁界は、接地導体層３２と交わらない。このため、渦電流が発生することがなく、共振器ＬＣ３の無負荷Ｑを高くすることができ、フィルタ１０を低損失化できる。また、コイルＬ３は、Ｕ字を上下反転させた形状をなしている。このように、コイルＬ３が折り曲げられた構造を有することにより、フィルタ１０のｚ軸方向の高さを高くすることなく、コイルＬ３の長さを長くすることができ、コイルＬ３のインダクタンス値を大きくすることができる。
【００４８】
（電子部品の製造方法）
次に、フィルタ１０の製造方法について図１及び図２を参照しながら説明する。
【００４９】
まず、絶縁体層１６となるべきセラミックグリーンシートを準備する。次に、絶縁体層１６ｂ〜１６ｇとなるべきセラミックグリーンシートのそれぞれに、ビアホール導体ｂ１〜ｂ６，ｂ１１〜ｂ１５を形成する。具体的には、絶縁体層１６ｂ〜１６ｇとなるべきセラミックグリーシートにレーザビームを照射してビアホールを形成する。次に、このビアホールに対して、Ａｇ，Ｐｄ，Ｃｕ，Ａｕやこれらの合金などの導電性ペーストを印刷塗布などの方法により充填する。
【００５０】
次に、絶縁体層１６ａ〜１６ｈとなるべきセラミックグリーンシート上に、Ａｇ，Ｐｄ，Ｃｕ，Ａｕやこれらの合金などを主成分とする導電性ペーストをスクリーン印刷法やフォトリソグラフィ法などの方法で塗布することにより、外部電極１４、方向認識マーク１５、コイル導体層１８，２０、結合導体層２２，２４、コンデンサ導体層２６，２８，３０、接地導体層３２及び接続導体層３４を形成する。なお、コイル導体層１８，２０等の形成の際に、ビアホールに対する導電性ペーストの充填を行ってもよい。
【００５１】
次に、各セラミックグリーンシートを積層する。具体的には、絶縁体層１６ｈとなるべきセラミックグリーンシートを配置する。次に、絶縁体層１６ｈとなるべきセラミックグリーンシート上に絶縁体層１６ｇとなるべきセラミックグリーンシートを配置する。この後、絶縁体層１６ｇとなるべきセラミックグリーンシートを絶縁体層１６ｆとなるべきセラミックグリーンシートに対して圧着する。この後、絶縁体層１６ｅ，１６ｄ，１６ｃ，１６ｂ，１６ａとなるべきセラミックグリーンシートについても同様にこの順番に積層及び圧着する。以上の工程により、マザー積層体が形成される。このマザー積層体には、静水圧プレスなどにより本圧着が施される。
【００５２】
次に、マザー積層体をカット刃により所定寸法の積層体１２にカットする。この未焼成の積層体１２には、脱バインダー処理及び焼成がなされる。
【００５３】
以上の工程により、焼成された積層体１２が得られる。積層体１２には、バレル加工を施して、面取りを行う。その後、積層体１２の表面には、例えば、浸漬法等の方法により主成分が銀である電極ペーストを塗布及び焼き付けすることにより、外部電極１４となるべき銀電極を形成する。
【００５４】
最後に、銀電極の表面に、Ｎｉめっき／Ｓｎめっきを施すことにより、外部電極１４を形成する。以上の工程を経て、図１に示すようなフィルタ１０が完成する。
【００５５】
（変形例）
なお、フィルタ１０では、コイルＬ１，Ｌ２は、コイル導体層１８，２０により構成され、コイルＬ３は、接続導体層３４とビアホール導体Ｂ１，Ｂ２とにより構成されるものとした。しかしながら、コイルＬ１，Ｌ２は、ビアホール導体により構成され、コイルＬ３は、コイル導体層により構成されていてもよい。以下に、変形例に係るフィルタ１０ａについて図面を参照しながら説明する。図４は、変形例に係るフィルタ１０ａの分解斜視図である。図５は、変形例に係るフィルタ１０ａの等価回路図である。図３及び図５に示すように、フィルタ１０の等価回路とフィルタ１０ａの等価回路とは同じである。なお、フィルタ１０ａの外観斜視図については、図１を援用する。また、フィルタ１０ａの構成の内、フィルタ１０と同じ構成については同じ参照符号を付した。
【００５６】
フィルタ１０ａは、図４及び図５に示すように、積層体１２、外部電極１４（１４ａ〜１４ｄ）、方向認識マーク１５、共振器ＬＣ１〜ＬＣ３及びコンデンサＣ４〜Ｃ７を備えている。積層体１２は、図４に示すように、絶縁体層１６（１６ａ〜１６ｉ）が積層されることにより構成され、直方体状をなしている。また、積層体１２は、共振器ＬＣ１〜ＬＣ３を内蔵している。
【００５７】
フィルタ１０ａの外部電極１４ａ〜１４ｄ及び方向認識マーク１５の構成については、フィルタ１０のこれらの構成と同じであるので説明を省略する。
【００５８】
絶縁体層１６は、図４に示すように、長方形状をなしており、例えば、セラミック誘電体により構成されている。絶縁体層１６ａ〜１６ｉは、ｚ軸方向において正方向側から負方向側へとこの順に並ぶように積層されている。
【００５９】
共振器ＬＣ１は、図４及び図５に示すように、コイルＬ１及びコンデンサＣ１を含み、外部電極１４ａと外部電極１４ｃ，１４ｄとの間に接続されている。具体的には、コイルＬ１及びコンデンサＣ１は、外部電極１４ａと外部電極１４ｃ，１４ｄとの間に並列に接続されている。
【００６０】
コイルＬ１は、図４に示すように、ビアホール導体Ｂ３，Ｂ４及び接続導体層１３４により構成されている。ビアホール導体Ｂ３は、ビアホール導体ｂ２１〜ｂ２６により構成され、絶縁体層１６ｂ〜１６ｇをｚ軸方向に貫通している。ビアホール導体Ｂ４は、ビアホール導体ｂ３１〜ｂ３７により構成され、絶縁体層１６ｂ〜１６ｈをｚ軸方向に貫通している。接続導体層１３４は、絶縁体層１６ｂ上において、ｙ軸方向に延在するように設けられ、ビアホール導体Ｂ３，Ｂ４のｚ軸方向の正方向側の端部同士を接続している。
【００６１】
コンデンサＣ１は、コンデンサ導体層１２６及び接地導体層１３２により構成されている。コンデンサ導体層１２６は、コンデンサ部１２６ａ及び引き出し部１２６ｂにより構成され、絶縁体層１６ｈ上に設けられている。コンデンサ部１２６ａは、絶縁体層１６ｈ上に設けられている矩形状の導体である。引き出し部１２６ｂは、コンデンサ部１２６ａに接続され、絶縁体層１６ｈのｘ軸方向の負方向側の短辺に接している。これにより、コンデンサ導体層１２６は、外部電極１４ａに接続されている。また、接地導体層１３２は、接地部１３２ａ及び引き出し部１３２ｂ，１３２ｃにより構成され、絶縁体層１６ｉ上に設けられている。接地部１３２ａは、絶縁体層１６ｉの略全面を覆うように設けられている矩形状の導体である。これにより、コンデンサ導体層１２６と接地導体層１３２とは、絶縁体層１６ｈを挟んで対向し、コンデンサＣ１を構成している。引き出し部１３２ｂは、接地部１３２ａに接続され、絶縁体層１６ｉのｙ軸方向の負方向側の長辺に接している。引き出し部１３２ｃは、接地部１３２ａに接続され、絶縁体層１６ｉのｙ軸方向の正方向側の長辺に接している。これにより、接地導体層１３２は、外部電極１４ｃ，１４ｄに接続されている。以上より、コンデンサＣ１は、外部電極１４ａと外部電極１４ｃ，１４ｄとに接続されている。
【００６２】
共振器ＬＣ２は、図４及び図５に示すように、コイルＬ２及びコンデンサＣ２を含み、外部電極１４ｂと外部電極１４ｃ，１４ｄとの間に接続されている。具体的には、コイルＬ２及びコンデンサＣ２は、外部電極１４ａと外部電極１４ｃ，１４ｄとの間に並列に接続されている。
【００６３】
コイルＬ２は、図４に示すように、ビアホール導体Ｂ５，Ｂ６及び接続導体層１３６により構成されている。ビアホール導体Ｂ５は、ビアホール導体ｂ４１〜ｂ４６により構成され、絶縁体層１６ｂ〜１６ｇをｚ軸方向に貫通している。ビアホール導体Ｂ６は、ビアホール導体ｂ５１〜ｂ５７により構成され、絶縁体層１６ｂ〜１６ｈをｚ軸方向に貫通している。接続導体層１３６は、絶縁体層１６ｂ上において、ｙ軸方向に延在するように設けられ、ビアホール導体Ｂ５，Ｂ６のｚ軸方向の正方向側の端部同士を接続している。
【００６４】
コンデンサＣ２は、コンデンサ導体層１２８及び接地導体層１３２により構成されている。コンデンサ導体層１２８は、コンデンサ部１２８ａ及び引き出し部１２８ｂにより構成され、絶縁体層１６ｈ上に設けられている。コンデンサ部１２８ａは、絶縁体層１６ｈ上に設けられている矩形状の導体である。これにより、コンデンサ導体層１２８と接地導体層１３２とは、絶縁体層１６ｈを挟んで対向し、コンデンサＣ２を構成している。引き出し部１２８ｂは、コンデンサ部１２８ａに接続され、絶縁体層１６ｈのｘ軸方向の正方向側の短辺に接している。これにより、コンデンサ導体層１２８は、外部電極１４ｂに接続されている。以上より、コンデンサＣ２は、外部電極１４ｂと外部電極１４ｃ，１４ｄとに接続されている。
【００６５】
共振器ＬＣ３は、図４及び図５に示すように、コイルＬ３及びコンデンサＣ３を含み、外部電極１４ｃ，１４ｄに接続されている。また、共振器ＬＣ３は、図４に示すように、ｚ軸方向から平面視したときに、ｘ軸方向において共振器ＬＣ１と共振器ＬＣ２とに挟まれている。
【００６６】
コイルＬ３は、図４に示すように、コイル導体層１１８及びビアホール導体ｂ６１，ｂ６２により構成され、コイルＬ１，Ｌ２と磁気結合する。コイル導体層１１８は、絶縁体層１６ｃ上において、ｚ軸方向から平面視したときに、ｘ軸方向において、ビアホール導体Ｂ３，Ｂ４及び接続導体層１３４とビアホール導体Ｂ５，Ｂ６及び接続導体層１３６との間に設けられている。そして、コイル導体層１１８は、コイル部１１８ａ及び引き出し部１１８ｂを含んでいる。
【００６７】
コイル部１１８ａは、ｚ軸方向から平面視したときに、絶縁体層１６ｃ（ｘｙ平面）上において、外部電極１４ｃ近傍を起点として反時計回りに旋廻している線状導体である。更に、コイル部１１８ａは、ｙ軸方向に延在する部分を有している。すなわち、コイル部１１８ａは、接続導体層１３４，１３６と平行な部分を有している。また、引き出し部１１８ｂは、コイル部１１８ａの一端に接続され、絶縁体層１６ｃのｙ軸方向の負方向側の長辺に接している。これにより、コイル導体層１１８は、外部電極１４ｃに接続されている。
【００６８】
ビアホール導体ｂ６１，ｂ６２は、絶縁体層１６ｃ，１６ｄをｚ軸方向に貫通しており、互いに接続されることにより一本のビアホール導体を構成している。ビアホール導体ｂ６１のｚ軸方向の正方向側の端部は、コイル部１１８ａの他端に接続されている。
【００６９】
コンデンサＣ３は、コンデンサ導体層１３０及び接地導体層２３２により構成されている。コンデンサ導体層１３０は、絶縁体層１６ｅ上に設けられている矩形状の導体であり、ｚ軸方向から平面視したときに、ビアホール導体ｂ６１，ｂ６２と重なっている。よって、コンデンサ導体層１３０は、ビアホール導体ｂ６２のｚ軸方向の負方向側の端部と接続されている。接地導体層２３２は、接地部２３２ａ及び引き出し部２３２ｂにより構成され、絶縁体層１６ｄ上に設けられている。接地部２３２ａは、ｚ軸方向から平面視したときに、コンデンサ導体層１３０と重なっている。これにより、コンデンサ導体層１３０と接地導体層２３２とは、絶縁体層１６ｄを挟んで対向し、コンデンサＣ３を構成している。また、引き出し部２３２ｂは、接地部２３２ａに接続され、絶縁体層１６ｄのｙ軸方向の正方向側の長辺に接している。これにより、接地導体層２３２は、外部電極１４ｄに接続されている。以上の構成により、コイルＬ３の一端とコンデンサ導体層１３０とは接続されており、コイルＬ３の他端及び接地導体層２３２は、外部電極１４ｄに接続されている。
【００７０】
コンデンサＣ４，Ｃ５は、コンデンサ導体層１３０，２２６，２２８により構成され、外部電極１４ａ，１４ｂ間において直列に接続されている。コンデンサ導体層２２６，２２８は、絶縁体層１６ｆ上に設けられている矩形状の導体層であり、コンデンサ導体層１３０と対向することにより容量結合しており、コンデンサＣ４，Ｃ５を構成している。更に、コンデンサ導体層２２６，２２８はそれぞれ、ビアホール導体Ｂ３，Ｂ５と接続されている。以上のような構成を有することにより、コンデンサＣ４，Ｃ５は、外部電極１４ａ，１４ｂ間において直列に接続されている。更に、コンデンサＣ４，Ｃ５は、コンデンサ導体層１３０を介して、コイルＬ３とコンデンサＣ３との間に接続されている。
【００７１】
コンデンサＣ６，Ｃ７は、結合導体層１２２及びコンデンサ導体層１２６，２２６，１２８，２２８により構成され、外部電極１４ａ，１４ｂ間において直列に接続されている。結合導体層１２２は、絶縁体層１６ｇ上に設けられている矩形状の導体層である。結合導体層１２２は、共振器ＬＣ１及び共振器ＬＣ２と容量結合し、共振器ＬＣ３とは殆ど容量結合していない。具体的には、結合導体層１２２は、コンデンサ電極１２６ａ及びコンデンサ電極２２６と対向することにより該コンデンサ電極１２６ａ及びコンデンサ電極２２６と容量結合しており、コンデンサＣ６を構成している。更に、結合導体層１２２は、コンデンサ電極１２８ａ及びコンデンサ電極２２８と対向することにより該コンデンサ電極１２８ａ及びコンデンサ電極２２８と容量結合しており、コンデンサＣ７を構成している。ここで、コンデンサ導体層１２６，１２８はそれぞれ、外部電極１４ａ，１４ｂに接続されている。よって、コンデンサＣ６，Ｃ７は、外部電極１４ａ，１４ｂ間において直列に接続されている。
【００７２】
以上のように構成されたフィルタ１０ａでは、コイルＬ１とコイルＬ２とが磁気結合し、コイルＬ２とコイルＬ３とが磁気結合している。これにより、フィルタ１０ａは、所定の周波数帯域の信号のみを通過するバンドパスフィルタを構成している。
【００７３】
以上のように構成されたフィルタ１０ａにおいても、フィルタ１０と同様に、大型化することなく通過周波数帯域の狭帯域化を図ることができる。
【００７４】
なお、フィルタ１０において、接地導体層３２は、一つの導体層により構成されている。しかしながら、接地導体層３２は、例えば、コンデンサ導体層２６に対向するものと、コンデンサ導体層２８に対向するものと、コンデンサ導体層３０に対向するものとに分割されていてもよい。
【００７５】
また、接続導体層３４は、ビアホール導体Ｂ１，Ｂ２のｚ軸方向の正方向側の端部同士を接続している。しかしながら、接続導体層３４は、ビアホール導体Ｂ１，Ｂ２のｚ軸方向の負方向側の端部同士を接続していてもよい。この場合、コンデンサ導体層３０及び接地導体層３２は、ビアホール導体Ｂ１，Ｂ２よりもｚ軸方向の正方向側に位置することになる。また、フィルタ１０は、接続導体層とビアホール導体とにより構成された共振器を更に複数備えていてもよい。
【００７６】
なお、フィルタ１０ａにおいて、コイルＬ３は、コイルＬ１，Ｌ２の両方に磁気結合している。しかしながら、コイルＬ３は、コイルＬ１，Ｌ２の少なくともいずれか一方と磁気結合していればよい。
【産業上の利用可能性】
【００７７】
本発明は、フィルタに有用であり、特に、大型化することなく通過周波数帯域の狭帯域化を図ることができる点において優れている。
【符号の説明】
【００７８】
Ｂ１〜Ｂ６，ｂ１〜ｂ６，ｂ１１〜ｂ１５，ｂ２１〜ｂ２６，ｂ３１〜ｂ３７，ｂ４１〜ｂ４６，ｂ５１〜ｂ５７  ビアホール導体
Ｃ１〜Ｃ７  コンデンサ
Ｌ１〜Ｌ３  コイル
ＬＣ１〜ＬＣ３  共振器
１０，１０ａ  フィルタ
１２  積層体
１４ａ〜１４ｄ  外部電極
１６ａ〜１６ｉ  絶縁体層
１８，２０，１１８  コイル導体層
２２，２４，１２２  結合導体層
２６，２８，３０，１２６，１２８，１３０，２２６，２２８  コンデンサ導体層
３２，１３２，２３２  接地導体層
【図１】
2011033878.tif 000003
【図２】
2011033878.tif 000004
【図３】
2011033878.tif 000005
【図４】
2011033878.tif 000006
【図５】
2011033878.tif 000007
【図６】
2011033878.tif 000008
【国際調査報告】
2011033878.tif 000009
2011033878.tif 000010
2011033878.tif 000011
2011033878.tif 000012